(57)【要約】【課題】スペクトル拡散無線通信システム内の１つまたは複数のスクランブル符号の再配置を管理する方法および装置を提供すること。【解決手段】この方法は、ユーザ装置に第１の無線ネットワーク制御装置の支配下を抜けさせるサービング無線ネットワーク・サブシステム再配置の指示を検出する工程と、前記指示に応答して、中間遷移を介して、前記ユーザ装置の第１の無線ネットワーク制御装置から第２の無線ネットワーク制御装置に、アップリンクに関連する１つまたは複数のスクランブル符号のうちの少なくとも１つのスクランブル符号を選択的にトランジットする工程とを含む。【選択図】図１
2006270966.tif 000002
【特許請求の範囲】
【請求項１】
スペクトル拡散無線通信システム内の１つまたは複数のスクランブル符号の再配置を管理する方法であって、
ユーザ装置に第１の無線ネットワーク制御装置の支配下を抜けさせるサービング無線ネットワーク・サブシステム再配置の指示を検出する工程と、
前記指示に応答して、中間遷移を介して、前記ユーザ装置の第１の無線ネットワーク制御装置から第２の無線ネットワーク制御装置に、アップリンクに関連する１つまたは複数のスクランブル符号の少なくとも１つのスクランブル符号を選択的に移送する工程とを含む方法。
【請求項２】
中間遷移を介して、少なくとも１つのスクランブル符号を選択的にトランジットする工程が、
前記第１の無線ネットワーク制御装置で、１つまたは複数の使用中のスクランブル符号の第３のプールを介して１つまたは複数の再配置されたスクランブル符号の第１のプールから１つまたは複数の空きのスクランブル符号の第２のプールに前記少なくとも１つのスクランブル符号を移行させる工程をさらに含む請求項１に記載の方法。
【請求項３】
中間遷移を介して、少なくとも１つのスクランブル符号を選択的にトランジットする工程が、
前記第１の無線ネットワーク制御装置によって、前記少なくとも１つのスクランブル符号の所望の処理に基づいて前記第１の無線ネットワーク制御装置で前記１つまたは複数のスクランブル符号からの少なくとも１つのスクランブル符号を前記第２の無線ネットワーク制御装置に再割り当てする工程をさらに含む請求項１に記載の方法。
【請求項４】
中間遷移を介して、少なくとも１つのスクランブル符号を選択的にトランジットする工程が、
先入れ先出しシフト・レジスタを使用する工程をさらに含む請求項１に記載の方法。
【請求項５】
前記第１および第２の無線ネットワーク制御装置間で追加の信号送受を用いることなく、前記サービング無線ネットワーク・サブシステムの再配置中にスクランブル符号の管理を実行する工程をさらに含む請求項１に記載の方法。
【請求項６】
スペクトル拡散無線通信システム内の無線ネットワークに関連する無線ネットワーク制御装置であって、
制御装置と、
前記制御装置に結合された記憶装置であって、ユーザ装置に前記無線ネットワーク制御装置の支配下を抜けさせるサービング無線ネットワーク・サブシステム再配置の指示を検出し、前記指示に応答して、中間遷移を介して、前記ユーザ装置の前記無線ネットワーク制御装置から第２の無線ネットワーク制御装置に、アップリンクに関連する１つまたは複数のスクランブル符号のうちの少なくとも１つのスクランブル符号を選択的に移送する命令を記憶する記憶装置とを含む無線ネットワーク制御装置。
【請求項７】
前記無線ネットワーク制御装置が、１つまたは複数の再配置されたスクランブル符号の第１のプールと、１つまたは複数の空きスクランブル符号の第２のプールと、１つまたは複数の使用中のスクランブル符号の第３のプールとを前記無線ネットワーク制御装置で管理するバッファをさらに含む請求項６に記載の無線ネットワーク制御装置。
【請求項８】
前記無線ネットワーク制御装置が、
管理装置と、
前記管理装置が、１つまたは複数の再配置されたスクランブル符号の第１のプールと、１つまたは複数の空きスクランブル符号の第２のプールと、１つまたは複数の使用中のスクランブル符号の第３のプールとを前記無線ネットワーク制御装置で管理するために使用する先入れ先出しシフト・レジスタとをさらに含む請求項６に記載の無線ネットワーク制御装置。
【請求項９】
スペクトル拡散無線通信システムであって、
無線ネットワークに関連する無線ネットワーク制御装置を含み、前記無線ネットワーク制御装置が、
制御装置と、
前記制御装置に結合された記憶装置であって、ユーザ装置に前記無線ネットワーク制御装置の支配下を抜けさせるサービング無線ネットワーク・サブシステム再配置の指示を検出し、前記指示に応答して、中間遷移を介して、前記ユーザ装置の前記無線ネットワーク制御装置から第２の無線ネットワーク制御装置に、アップリンクに関連する１つまたは複数のスクランブル符号のうちの少なくとも１つのスクランブル符号を選択的に移送する命令を記憶する記憶装置とを含むスペクトル拡散無線通信システム。
【請求項１０】
前記無線ネットワーク制御装置が、
先入れ先出しシフト・レジスタと、
前記先入れ先出しシフト・レジスタを用いて、１つまたは複数の再配置されたスクランブル符号の第１のプールと、１つまたは複数の空きスクランブル符号の第２のプールと、１つまたは複数の使用中のスクランブル符号の第３のプールとを前記無線ネットワーク制御装置で管理する管理装置とをさらに含む請求項９に記載のスペクトル拡散無線通信システム。
【発明の詳細な説明】
【技術分野】
【０００１】
本発明は一般に電気通信に関し、より詳細には、無線通信に関する。
【背景技術】
【０００２】
通常の無線通信システムまたは移動体通信システムは、無線通信装置などのいくつかのユーザ装置（ＵＥ）のユーザまたは加入者に異なるタイプのサービスを提供する。無線通信装置は移動または固定ユニットであってよく、１つまたは複数の無線ネットワーク上の地理領域内にあってよい。移動体ユニットまたはユーザ装置のユーザまたは加入者は特定の無線ネットワーク内（および外）を常に移動できる。このために、無線通信システム、例えば、符号分割多重接続（ＣＤＭＡ）システムなどのスペクトル拡散無線通信システムを用いて複数のユーザは同じ広帯域無線チャネル上で同時に送信が可能であり、スペクトル拡散技法に基づく周波数再利用が可能になる。
【発明の開示】
【発明が解決しようとする課題】
【０００３】
スペクトル拡散無線通信システムでは、基地局とＵＥとの間の情報信号はスペクトル拡散信号によって乗算される。符号分割多重接続（ＣＤＭＡ）システムなどのスペクトル拡散システムは、しばしば、情報信号に、ランダムに見えるが所期の受信局で再生可能な２進シーケンスである疑似雑音（ＰＮ）符号などの拡散および／またはスクランブル符号シーケンス（スクランブル符号シーケンス）を乗算することで情報信号内のデータを拡散および／またはスクランブルする。スクランブル符号シーケンスが情報信号と同じパルス速度を有するとき、スクランブル符号シーケンスと情報信号との積がスクランブルされ、スペクトルは変化しない。
【０００４】
ディジタル・セルラＣＤＭＡネットワークなどの特定の無線ネットワーク内で移動する際に、ユーザが第１のセルの担当領域から外に出ると、ユーザ装置（ＵＥ）に関して移動体通信の新しいセルへのハンドオーバが実行される。この時点で、サービング無線ネットワーク・サブシステム（ＲＮＳ）のサービング無線ネットワーク制御装置（ＲＮＣ）はＵＥの新しいアクセス無線ネットワーク制御装置として目標ＲＮＣに置き換えられる。サービング無線ネットワーク・サブシステム（ＳＲＮＳ）再配置手順によって既存のＳＲＮＳを目標ＲＮＳに置き換えることができる。無線ネットワーク・サブシステム（ＳＲＮＳ）を用いて、無線ネットワーク制御装置はコア・ネットワーク（ＣＮ）と通信する。ＳＲＮＳ再配置手順が一般に使用されるのは、サービングＲＮＣと目標ＲＮＣが、ＵＴＲＡＮネットワーク（ＵＭＴＳ無線アクセス・ネットワーク）内の２つのＲＮＣを相互接続するＩｕｒと呼ばれるインタフェースによって接続され、目標ＲＮＣがドリフトＲＮＣ（ＤＲＮＣ）として動作する場合である。例えばＲＮＣをノードＢに相互接続するＩｕｂと呼ばれるインタフェースを用いて、目標ＲＮＣへの新しい接続が確立されると、２つの無線ネットワーク制御装置間のＩｕｒ接続は解放され、ドリフトＲＮＣは新しいサービングＲＮＣになる。
【０００５】
第３世代パートナシップ・プロジェクト（３ＧＰＰ）標準は、３ＧＰＰ  ＴＲ２５．９３１、３ＧＰＰ  ＴＳ２５．３３１、３ＧＰＰ  ＴＳ２３．００９、３ＧＰＰ  ＴＳ２３．０６０、３ＧＰＰ  ＴＳ２５．４１３、および３ＧＰＰ  ＴＳ２５．４２３を含む３ＧＰＰ仕様に基づく信号プロトコルを使用する対応するＵＥ手順のために割り当てられる無線リソースの変更を含まないサービング無線ネットワーク・サブシステム再配置手順を定義する。すなわち、このサービング無線ネットワーク・サブシステム再配置手順には、ユーザ装置は全く含まれない。したがって、これらの３ＧＰＰ標準に基づいてサービング無線ネットワーク・サブシステム再配置手順について定義されたアップリンク・スクランブル符号は異種のベンダ・ソリューションと互換性がないことがある。アップリンク・スクランブル符号は特定のＵＥについて一意的でなければならず、かつユーザ装置のアクティブなセット内のすべての無線リンクについて同一でなければならないので、サービングＲＮＣはアップリンク・スクランブル符号を割り当てる責務を有するネットワーク・エンティティになる。サービング無線ネットワーク・サブシステム再配置の後で、その後サービングＲＮＣになる、以前のドリフトＲＮＣがこの責務を引き継ぐ。
【０００６】
ただし、サービング無線ネットワーク・サブシステム再配置にわたって新しいアップリンク・スクランブル符号を割り当てる責務は３ＧＰＰ標準内で適切に定義されていない。すなわち、新しいサービングＲＮＣがサービング無線ネットワーク・サブシステム再配置にわたって新しいアップリンク・スクランブル符号を割り当てなければならないか否かは不明であり、旧サービングＲＮＣがアップリンク・スクランブル符号がもはや使用されていないことに気付かなければならないか否かも不明である。さらに、特定のユーザ装置から無線ネットワーク制御装置への、またその逆の信号メッセージの損失がサービング無線ネットワーク・サブシステム再配置の間に発生する可能性がある。
【０００７】
サービング無線ネットワーク・サブシステム再配置時のスクランブル符号管理の１つの解決策は、再配置されたバッファからのスクランブル符号の中継のタイマベースのトリガの使用をすすめている。そのような解決策は、特に、２つの関連する無線ネットワーク制御装置がスクランブル符号を処理する異なるポリシーに従うベンダ間シナリオで、同じスクランブル符号を使用することになる可能性があるＵＥ間の衝突を引き起こす大きなリスクを冒す。そのようなタイマベースの解決策では、特定のスクランブル符号は他のスクランブル符号の利用可能性にかかわらずタイマが満了すると利用可能になるために、衝突のリスクが比較的高い。
本発明の目的は、上記の１つまたは複数の問題の影響を克服するかまたは少なくとも低減することである。
【課題を解決するための手段】
【０００８】
以下に、本発明のいくつかの態様の基本的な理解を提供するために本発明を簡潔に概説する。この概要は本発明の網羅的な概要ではない。これは本発明の主要な、またはきわめて重要な要素を識別するものでなく、また本発明の範囲を示すものでもない。その唯一の目的は、後述の詳細な説明への序論として簡単な形式でいくつかの概念を説明することにある。
【０００９】
本発明の一実施形態では、スペクトル拡散無線通信システム内の１つまたは複数のスクランブル符号の再配置を管理する方法が提供される。この方法は、ユーザ装置に第１の無線ネットワーク制御装置の支配下を抜けさせるサービング無線ネットワーク・サブシステム再配置の指示を検出する工程と、前記指示に応答して、中間遷移を介して、前記ユーザ装置の第１の無線ネットワーク制御装置から第２の無線ネットワーク制御装置に、アップリンクに関連する１つまたは複数のスクランブル符号のうちの少なくとも１つのスクランブル符号を選択的にトランジットする工程とを含む。
【００１０】
別の実施形態では、無線ネットワーク制御装置は、スペクトル拡散無線通信システム内の無線ネットワークに関連する。前記無線ネットワーク制御装置は制御装置と前記制御装置に結合された記憶装置とを含む。前記記憶装置は、ユーザ装置に無線ネットワーク制御装置の支配下を抜けさせるサービング無線ネットワーク・サブシステム再配置の指示を検出し、前記指示に応答して、中間遷移を介して、前記ユーザ装置の前記無線ネットワーク制御装置から第２の無線ネットワーク制御装置に、アップリンクに関連する１つまたは複数のスクランブル符号のうちの少なくとも１つのスクランブル符号を選択的にトランジットする命令を記憶できる。
【００１１】
さらに別の実施形態では、スペクトル拡散無線通信システムは、無線ネットワークに関連する無線ネットワーク制御装置を含む。無線ネットワーク制御装置は、上記の実施形態で述べた制御装置と同様である。
【００１２】
さらに別の実施形態では、スペクトル拡散無線通信システムは、実行時に、スペクトル拡散無線通信システムに、ユーザ装置に第１の無線ネットワーク制御装置の支配下を抜けさせるサービング無線ネットワーク・サブシステム再配置の指示を検出させ、前記指示に応答して、中間遷移を介して、前記ユーザ装置の第１の無線ネットワーク制御装置から第２の無線ネットワーク制御装置に、アップリンクに関連する１つまたは複数のスクランブル符号のうちの少なくとも１つのスクランブル符号を選択的にトランジットさせる命令を記憶するコンピュータ可読記憶媒体を含む。
【００１３】
一実施形態では、スペクトル拡散無線通信システム内の１つまたは複数のスクランブル符号の再配置を管理する装置は、ユーザ装置に第１の無線ネットワーク制御装置の支配下を抜けさせるサービング無線ネットワーク・サブシステム再配置の指示を検出する手段と、前記指示に応答して、中間遷移を介して、前記ユーザ装置の第１の無線ネットワーク制御装置から第２の無線ネットワーク制御装置に、アップリンクに関連する１つまたは複数のスクランブル符号のうちの少なくとも１つのスクランブル符号を選択的にトランジットする手段とを含む。
【００１４】
本発明は、同様の符号が同様の要素を識別する添付図面を参照しながら以下の説明を読むことで理解できよう。
本発明は様々に変更でき、代替形態が可能であるが、本発明の特定の実施形態は図中に例示されており、本明細書では詳述しない。ただし、本明細書中の特定の実施形態の説明は本発明を特定の開示した形態に限定するものではなく、逆に、添付の請求の範囲に記載する本発明の精神および範囲を逸脱しないすべての変形形態、等効形態、および代替形態を含むものである。
【発明を実施するための最良の形態】
【００１５】
本発明の実施形態について以下に説明する。話を分かりやすくするために、本明細書では実際の実施形態のすべての特徴について説明しているわけではない。そのような実際の実施形態を開発する際に、実施形態によって異なるシステム関連およびビジネス関連の制約への適合などの開発者の特定の目標を達成するために数多くの実施形態固有の決定がなされることがある。さらに、そのような開発努力は複雑で時間がかかることがあるが、それにもかかわらず、本開示の利益を享受する当業者にとっては日常的な作業であろう。
【００１６】
ＳＲＮＳ再配置の際に１つまたは複数のアップリンク・スクランブル符号を管理する方法および装置を概説する。そのような方法および装置は、３ＧＰＰ標準に適合し、様々なベンダ・ソリューションと互換性があってもよい。ユーザ装置に第１の無線ネットワーク制御装置の支配下を抜けさせるサービング無線ネットワーク・サブシステム（ＳＲＮＳ）再配置の指示を検出することで、スクランブル符号プール管理装置は、ＳＲＮＳ再配置の前記指示に応答して、中間遷移を介して、第１の無線ネットワーク制御装置から第２の無線ネットワーク制御装置に、アップリンクに関連するＵＥの特定のスクランブル符号の選択的なトランジットを可能にする。こうして、アップリンク（ＵＬ）スクランブル符号を特定のＵＥに割り当てることができる。第１のＲＮＣはスクランブル符号の３つのプール、すなわち、１つまたは複数の再配置されたスクランブル符号（ＳＣ）の第１のプールと、１つまたは複数の空きスクランブル符号の第２のプールと、１つまたは複数の使用中のスクランブル符号の各々の第３のプールとを維持できる。スクランブル符号は空きスクランブル符号の第３のプールが空きでない場合には、このプールから取り出すことができる。空きスクランブル符号の第３のプールが空き状態の場合、再配置されたＵＬ  ＳＣプールのＦＩＦＯ待ち行列のＵＬ  ＳＣを取り出すことができる。ただし、いずれにせよ、特定のＳＣを使用中のスクランブル符号の第３のプールに移動することができる。いくつかの実施形態では、ネットワーク・ベンダは、早すぎる再利用が衝突を引き起こしかねない、あるＲＮＣから他のＲＮＣに再配置されたスクランブル符号の割り当て方式を実施する第１の管理装置を配備することができる。第１の管理装置は、ＵＥがＳＲＮＳ再配置によって他のＲＮＣにスクランブル符号を移動するケースに適用できる。
【００１７】
図１を参照すると、本発明の一実施形態によるユーザ装置（ＵＥ）１１０と通信する１つまたは複数のスクランブル符号の再配置を管理する第１および第２の無線ネットワーク制御装置１０５（１）、１０５（Ｎ）を含むスペクトル拡散無線通信システム１００が示されている。第１および第２の無線ネットワーク制御装置１０５（１）、１０５（Ｎ）の各々は１つまたは複数の基地局、例えば、無線ネットワーク１１２内のノードＢｓに関連付けることができる。特に、第１の無線ネットワーク制御装置１０５（１）は第１の複数の基地局、すなわち、ノードＢｓ１１５ａ（１〜ｍ）に結合でき、第２の無線ネットワーク制御装置１０５（Ｍ）は第２の複数の基地局、すなわち、ノードＢｓ１１５ｂ（１〜ｋ）に結合できる。
【００１８】
無線ネットワーク１１２の一例は、ディジタル・セルラ・ネットワークを含む。より詳細には、広帯域符号分割多重接続（ＷＣＤＭＡ）ユニバーサル移動体通信システム（ＵＭＴＳ）の第３世代パートナシップ・プロジェクト（３ＧＰＰ）仕様は、ＣＤＭＡ技法に基づくような、スペクトル拡散システム内の１組の特定のシーケンスを使用するアップリンク・チャネルを定義する。ユーザ装置（ＵＥ）１１０は、これに限定はされないが、セルラ電話機、パーソナル・ディジタル・アシスタント（ＰＤＡ）、およびディジタル・セルラＣＤＭＡネットワークなどの無線ネットワーク１１２内で動作するスペクトル拡散通信システム１００を使用する全世界測位システム（ＧＰＳ）を含む多数の無線通信デバイスを指すことができる。
【００１９】
第１および第２の無線ネットワーク制御装置１０５（１〜Ｎ）は制御装置とその制御装置に結合された記憶装置を含むことができる。特に、第１の無線ネットワーク制御装置１０５（１）は第１の制御装置１１７（１）と第１の記憶装置１１９（１）を含むことができる。同様に、第２の無線ネットワーク制御装置１０５（Ｎ）は第２の制御装置１１７（Ｎ）と第２の記憶装置１１９（Ｎ）を含むことができる。さらに、第１の無線ネットワーク制御装置１０５（１）は、第１のバッファ１２２（１）、例えば、中間遷移を介して、１つまたは複数のスクランブル符号の少なくとも１つのスクランブル符号（ＳＣ）を選択的にトランジットする先入れ先出し（ＦＩＦＯ）シフト・レジスタと、第１の管理装置１２４（１）、例えば、１つまたは複数のスクランブル符号の再配置を管理するＳＣプール管理装置を含むことができる。同様に、第２の無線ネットワーク制御装置１０５（Ｎ）は第２のバッファ１２２（Ｎ）と第２の管理装置１２４（Ｎ）を含むことができる。
【００２０】
例えば、第１の記憶装置１１９（１）は、ユーザ装置１１０に第１の第１の無線ネットワーク制御装置１０５（１）の支配下を抜けさせるサービング無線ネットワーク・サブシステム（ＳＲＮＳ）再配置の指示を検出する命令を記憶できる。これらの命令によって、第１の管理装置１２４（１）は、前記ＳＲＮＳ再配置の指示に応答して、中間遷移を介して、第１の無線ネットワーク制御装置１０５（１）から第２の無線ネットワーク制御装置１０５（Ｎ）に、アップリンクに関連するＵＥ１１０の特定のスクランブル符号を選択的にトランジットする第１のバッファ１２２（１）を使用できる。
【００２１】
アップリンクまたは逆通信リンクは、例えば、通信リンクの一部としてのアップリンク内でＵＥ１１０から基地局にデータをトランスポートする無線周波数（ＲＦ）リンク上で、ＵＥ１１０から基地局、すなわち、ノードＢ１１５ａ（１）に情報を送信する手段を指す。すなわち、ＲＦアップリンクまたはＲＦ逆リンクはＲＦ信号の送信を指示できる。ＲＦアップリンクまたはＲＦ逆リンクの例は基地局制御装置（ＢＳＣ）から移動体サービス交換センタ（ＭＳＣ）または基地送受信局（ＢＴＳ）からＢＳＣを含む。
【００２２】
一実施形態では、ＳＲＮＳ再配置は、所与の無線通信デバイス、例えば、ユニバーサル移動体通信システム（ＵＭＴＳ）ネットワークなどの無線ネットワーク１１２内のＵＥ１１０について実行できる。無線ネットワーク１１２は無線アクセス・ネットワーク１２５、例えば、ユニバーサル地上無線アクセス・ネットワーク（ＵＴＲＡＮ）およびコア・ネットワーク（ＣＮ）１３０を含むことができ、ここで無線アクセス・ネットワークとコア・ネットワーク１３０は論理的に分離できる。
【００２３】
コア・ネットワーク１３０は、ＵＭＴＳ移動体サービス交換センタ（ＵＭＴＳ−ＭＳＣ）を用いて音声呼を処理でき、またはサービングＧＰＲＳサポート・ノード（ＳＧＳＮ）１４０（１）および１４０（２）を含む汎用パケット無線サービス（ＧＰＲＳ）ネットワークなどのデータ・ネットワークを使用できる。ＵＥ１１０は、ＵＴＲＡＮと呼ばれる無線アクセス・ネットワーク１２５を介してコア・ネットワーク１３０に接続できる。より詳細には、ＵＭＴＳ−ＭＳＣ／ＳＧＳＮ１４０（１）および１４０（２）は、一般にＩｕインタフェース１４５（１〜２）と呼ばれる従来のインタフェース上で第１および第２の無線ネットワーク制御装置１０５（１〜Ｎ）に接続できる。
【００２４】
ただし、ＳＲＮＳ再配置は、サービングＲＮＣ、すなわち、第１のＲＮＣ１０５（１）と目標ＲＮＣ、すなわち、ＵＭＴＳネットワークなどの無線ネットワーク１１２内の第２のＲＮＣ１０５（Ｎ）との間の無線リソースの転送を担当する場合がある。より詳細には、ＳＲＮＳ再配置は、無線インタフェース上で、ＵＥ無線接続の制御をソース、例えば、旧サービングＲＮＣ１０５（１）から目標または新サービングＲＮＣ１０５（Ｎ）に移す。したがって、制御およびユーザ平面の両方が目標または新サービングＲＮＣ１０５（Ｎ）に移される。こうして、ＳＲＮＳ再配置はＵＥ１１０およびＲＮＣサービングの役割を処理して再配置できる。
【００２５】
目標ＲＮＣ１０５（Ｎ）とＣＮ１３０との間にユーザ平面接続を確立できる。いくつかの実施形態では、ユーザ平面接続は、サービングＲＮＣ１０５（１）を介して、ドリフトＲＮＣと呼ばれる目標ＲＮＣ１０５（Ｎ）とコア・ネットワーク１３０との間まで延長できる。ドリフトＲＮＣ１０５（１）とサービングＲＮＣ１０５（１）との間には、インタフェース、すなわち、Ｉｕｒインタフェース１５０が確立できる。その後、無線ネットワーク１１２はドリフトＲＮＣを新しいサービングＲＮＣに変換し、ＣＮ１３０への直接のユーザ平面接続を確立できる。
【００２６】
ＣＮ１３０は、潜在的なデータ損失を処理する再送信用の自動要求（ＡＲＱ）ユニットを含むことができる。本質的に、ＡＲＱユニットによって、送信中にエラーを検出されるような時に受信側が送信側にデータ・ブロックの再送を要求する通信リンクを可能にする。制御平面の、すなわち、ＵＥ１１０とサービングＲＮＣ１０５（１）との間の信号送受を含むＳＲＮＳ再配置の際、目標ＲＮＣ１０５（Ｎ）はサービングＲＮＣになり、ＵＥ１１０とサービングＲＮＣ１０５（１）との間に信号リンクを提供する。
【００２７】
動作時には、サービングＲＮＣ１０５（１）はＵＥ１１０と無線で通信し、ＣＮ１３０からＵＥ１１０にサービス・データ・ユニット（ＳＤＵ）を提供することができる。サービングＲＮＣ１０５（１）はシーケンス番号（ＳＮ）をサービス・データ・ユニットの各々に関連付けることができ、ＵＥ１１０は、サービングＲＮＣ１０５（１）から受信したサービングＲＮＣサービス・データ・ユニットへの確認を行うことができる。サービングＲＮＣ１０５（１）によって目標ＲＮＣ１０５（Ｎ）に送信情報が提供できる。送信情報は、ＵＥ１１０が受信した際に確認されないサービス・データ・ユニットを含むことができる。こうして、目標ＲＮＣ１０５（Ｎ）はＵＥ１１０の新しいサービングＲＮＣとして指定できる。
【００２８】
例えば、ＵＴＲＡＮなどの無線アクセス・ネットワーク１２５はベアラ構造を使用してＵＥ１１０とコア・ネットワーク１３０との間でユーザ・データを搬送できる。ユーザ平面接続を確立するために、ＵＭＴＳ−ＭＳＣ／ＳＧＳＮ１４０（１）は、無線アクセス・ネットワーク１２５と通信して、ＵＭＴＳ−ＭＳＣ／ＳＧＳＮ１４０（１）とＵＥ１１０との間に無線アクセス・ベアラ（ＲＡＢ）などの従来の論理接続を形成できる。ＲＡＢを用いて、第１のＲＮＣ１０５（１）はコア・ネットワーク１３０との間にユーザ平面接続、例えば、Ｉｕベアラ接続を確立でき、論理チャネルに基づいてＵＥ１１０の無線ベアラ（ＲＢ）Ｕｕ接続を確立できる。
【００２９】
図２を再度参照すると、基地局、例えば、本発明の一実施形態による図１に示すノードＢ１１５ａ（１）とユーザ装置１１０のＣＤＭＡプロトコルに基づいて無線周波数（ＲＦ）送信機２００とＲＦ受信機２０５の概略が示されている。送信機２００は情報またはデータ信号を拡散および／またはスクランブルして送信のためのスペクトル拡散信号を生成し、受信機２０５はスペクトル拡散信号をデスクランブルおよび／または拡散解除して元の情報およびデータを取り出す。
【００３０】
このために、送信機２００は、入力される元のデータを、チャネル符号化、ビット・レベル・インタリーブ、ディジタル変調機能などを用いて処理し、または同様にＲＦ通信信号２１５を生成する符号器２１０を含む。送信機２００はさらに、１つまたは複数のスクランブル符号を生成するスクランブル符号生成器２２０と、スクランブル符号に符号器２１０の出力を乗算して広帯域またはスペクトル拡散通信信号を生成する乗算器２２５とを含む。送信機２００は、搬送波信号上でスペクトル拡散通信信号を変調する変調装置２３０とスペクトル拡散信号を受信機２０５に送信するアンテナ２３５とを含むことができる。
【００３１】
受信機２０５は、送信機２００からスペクトル拡散信号を受信するアンテナ２３７と受信したスペクトル拡散信号を復調して復調スペクトル拡散信号を生成する復調装置２４０を含むことができる。受信機２０５は、さらに復調スペクトル拡散信号にスクランブル符号生成装置２５０が提供するスクランブル符号を乗算する乗算器２４５を含む。この乗算は復調されたスペクトル拡散信号を拡散解除および／またはデスクランブルして、ＲＦ通信信号２１５を復元できる。受信機２０５は受信機２０５から元のデータを取り出す復号器２５５を含むことができる。
【００３２】
本発明の一実施形態では、図１に示す第１のバッファ１２２（１）として図３に先入れ先出し（ＦＩＦＯ）シフト・レジスタ３００が概略的に示されている。図３に示すように、ＦＩＦＯシフト・レジスタ３００は、ＵＥ１１０が第１のＲＮＣ１０５（１）から第２のＲＮＣ１０５（Ｎ）に再配置された時に、再配置されたスクランブル符号を指示矢印３１０の向きに受信する複数のレジスタ３０５を含むことができる。ＵＥ１１０が発呼し、空きまたは利用可能なスクランブル符号のプールが空き状態の場合、指示矢印３１５で示すように、取り除かれたスクランブル符号を使用中のスクランブル符号のプールに送信できる。第１の管理装置１２４（１）が制御するスクランブル符号の異なるプールの役割を以下に説明する。
【００３３】
図４は、第１の無線ネットワーク制御装置１０５（１）で、１つまたは複数の再配置されたスクランブル符号の第１のプール４０５と、１つまたは複数の空きスクランブル符号の第２のプール４１０と、１つまたは複数の使用中のスクランブル符号の第３のプール４１５とを管理する図１に示す第１の管理装置１２４（１）の一実施形態を示す概略図である。第１の管理装置１２４（１）は、再配置されたスクランブル符号の第１のプール４０５から空きスクランブル符号の第２のプール４１０に使用中のスクランブル符号の第３のプールを介して少なくとも１つのスクランブル符号を移行させる。第１の無線ネットワーク制御装置１０５（１）による特定のスクランブル符号の所望の処理に基づいて、一実施形態では、第１の管理装置１２４（１）がそのスクランブル符号を第１の無線ネットワーク制御装置１０５（１）で利用可能な１つまたは複数のスクランブル符号から第２の無線ネットワーク制御装置１０５（Ｎ）に再割り当てする。
【００３４】
第１の管理装置１２４（１）は、ユーザ装置１１０に関連する第１のスクランブル符号を再配置されたスクランブル符号の第１のプール４０５に移動でき、第１のスクランブル符号の移動に応答して、それぞれの最も古いスクランブル符号をＦＩＦＯシフト・レジスタ３００から外に出すことができる。空きスクランブル符号の第２のプール４１０が空き状態であるか否かを判定できる。空き状態と判定された場合、第２のスクランブル符号を再配置されたスクランブル符号の第１のプール４０５から取り出すことができる。第２のスクランブル符号は、再配置されたスクランブル符号の第１のプール４０５からユーザ装置１１０に割り当てることができる。ユーザ装置１１０でのユーザの発呼に応答して、第１の管理装置１２４（１）は第２のスクランブル符号を使用中のスクランブル符号の第３のプール４１５にトランジットできる。第１および第２のスクランブル符号の所望の割り当ては、１つまたは複数のスクランブル符号、すなわち、スクランブル符号の全セットのうち第１および第２の無線ネットワーク制御装置１０５（１〜Ｎ）の各々の内部で取得できる。こうして、第１および第２の無線ネットワーク制御装置１０５（１〜Ｎ）間で追加の信号送受を用いることなく、サービング無線ネットワーク・サブシステムの再配置中にスクランブル符号の管理を実行できる。
【００３５】
本発明の一実施形態による第１および第２の無線ネットワーク制御装置１０５（１〜Ｎ）の各々で図１に示すスペクトル拡散無線通信システム１００内の１つまたは複数のスクランブル符号の再配置を第１管理装置１２４（１）が管理する方法の様式図が図５に示されている。ブロック５００で、ユーザ装置１００に第１の無線ネットワーク制御装置１０５（１）の支配下を抜けさせるサービング無線ネットワーク・サブシステム再配置の指示が検出できる。判定ブロック５０５の検査で再配置を実行させる指示が利用可能か否かが確認できる。
【００３６】
ＹＥＳである場合、ブロック５１０で第１のバッファ１２２（１）を用いて、中間遷移を介して、ユーザ装置１１０の第１の無線ネットワーク制御装置１０５（１）から第２の無線ネットワーク制御装置１０５（Ｎ）に、アップリンクに関連する１つまたは複数のスクランブル符号の少なくとも１つのスクランブル符号を選択的にトランジットすることができる。こうして、ＦＩＦＯレジスタ４００を用いて、第１の管理装置１２４（１）は、スペクトル拡散無線通信システム１００内の１つまたは複数のスクランブル符号の再配置を管理できる。
【００３７】
いくつかの実施形態では、ネットワーク・ベンダは、早すぎる再利用が衝突を引き起こしかねない、あるＲＮＣから他のＲＮＣに再配置されたスクランブル符号の割り当て方式を実施する第１の管理装置１２４（１）を配備することができる。第１の管理装置１２４（１）は、ＵＥ１１０がＳＲＮＳ再配置によって他のＲＮＣにスクランブル符号を移動するケースに適用できる。第１のＲＮＣ１０５（１）はスクランブル符号の３つのプール、すなわち、１つまたは複数の再配置されたスクランブル符号（ＳＣ）の第１のプール４０５と、１つまたは複数の空きスクランブル符号の第２のプール４１０と、１つまたは複数の使用中のスクランブル符号の各々の第３のプール４１５とを維持できる。使用中および空きＳＣプールの間のＳＣの遷移の処理について以下に説明する。
【００３８】
ＵＥ１１０には、要求があれば１つまたは複数の空きスクランブル符号の第２のプール４１０からＳＣを割り当てることができる。その特定のＳＣは１つまたは複数の使用中のスクランブル符号の各々の第３のプール４１５に移動できる。呼が着信すると、それが正規の着信であるか障害であるかにかかわらず、ＳＣは１つまたは複数の空きスクランブル符号の第２のプール４１０に戻る。ＵＥ１１０が異なるＲＮＣから再配置され、現在のＲＮＣに元々割り当てられていなかったＳＣを持ってきた場合、ＲＮＣは着信時にＳＣを廃棄できる。
【００３９】
上記のように、ＵＥ１１０がＳＲＮＳ再配置のために第１のＲＮＣ１０５（１）の支配下を抜けると、関連するＳＣは１つまたは複数の再配置されたスクランブル符号の第１のプール４０５に移動できる。すなわち、第１の管理装置１２４（１）は、１つまたは複数の再配置されたスクランブル符号の第１のプール４０５から１つまたは複数の使用中のスクランブル符号の各々の第３のプール４１５または１つまたは複数の空きスクランブル符号の第２のプール４１０へのトランジットを実行できる。
【００４０】
ただし、ＵＥ１１０が発呼し、１つまたは複数の空きスクランブル符号の第２のプール４１０からのスクランブル符号が利用可能でない場合、１つまたは複数の再配置されたスクランブル符号の第１のプール４０５からのスクランブル符号をより高い衝突の危険を冒して割り当てることはできない。第１の管理装置１２４（１）を用いて１つまたは複数の再配置されたスクランブル符号の第１のプール４０５からＳＣをトランジットすることで、ＲＮＣで利用可能なＳＣの総数、すなわち、３つのプールの総計サイズに依存する、同じスクランブル符号を用いることになるＵＥ同士の衝突の危険は防止できる。これは、図４に示すように、１つまたは複数の再配置されたスクランブル符号の第１のプール４０５と空きスクランブル符号の第３のプール４１５との間の直接の遷移が実行されないからである。
【００４１】
こうして、アップリンク（ＵＬ）スクランブル符号を特定のＵＥに割り当てることができる。スクランブル符号は空きスクランブル符号の第３のプール４１５が空きでない場合には、このプールから取り出すことができる。空きスクランブル符号の第３のプール４１５が空き状態の場合、再配置されたＵＬ  ＳＣプールのＦＩＦＯ待ち行列のＵＬ  ＳＣを取り出すことができる。ただし、いずれにせよ、特定のＳＣを使用中のスクランブル符号の第３のプール４１５に移動することができる。使用中のスクランブル符号の第３のプール４１５内のＳＲＮＣからのスクランブル符号が空き状態になると、呼の分解が実行され、呼がドロップされる、またはこのシナリオが他の理由で実行される。したがって、ＳＣは空きスクランブル符号の第２のプール４１０に移動し、所望であれば直ちに再利用できる。
【００４２】
ＵＥ１１０がＤＲＮＣ領域に移動し、Ｉｕ接続がＳＲＮＳ再配置手順によって再配置された場合、ソースＲＮＣ（旧サービングＲＮＣ１０５（１））は再配置されたＵＬ  ＳＣの第１のプール４０５にＵＬ  ＳＣを記憶できる。目標ＲＮＣ１０５（Ｎ）（新しいサービングＲＮＣ）は再配置されたＵＥ１１０が現在の呼を維持している限り、同じＳＣを使用できるため、これによって早すぎる再利用を回避できる。目標ＲＮＣはそれ自身のＵＬスクランブル符号の割り当てにこのＵＬスクランブル符号を使用することは決してできない。ＵＥ１１０が異なるＲＮＣから再配置され、現在のＲＮＣに元々割り当てられていなかったＳＣを持ってくると、第１のＲＮＣ１０５（１）はＳＣの管理のために呼の着信時にＳＣを廃棄できる。
【００４３】
本発明の一部とそれに対応する詳細な説明をソフトウェア、またはアルゴリズムおよびコンピュータ・メモリ内のデータ・ビット上の動作を表す符号表現によって示す。これらの説明および表現は、当業者が他の当業者に作業内容を効果的に伝えるためのものである。本明細書で使用するアルゴリズムと言う用語は、一般的な使用例と同様、所望の結果に至る工程の一貫したシーケンスである。これらの工程は物理的な量の物理的な操作を必要とする工程である。必ずしもそうではないが、普通、これらの量は、記憶、転送、結合、比較、およびその他の操作が可能な光、電気、または磁気信号の形態をとる。これらの信号をビット、値、要素、符号、文字、項、数字などと呼ぶことは一般の用例からして便利なことがある。
【００４４】
ただし、上記およびそれと同様の用語は適当な物理量と対応させなければならず、これらの量に貼られる便利なラベルにすぎないことに留意すべきである。特に断りのない限り、または説明から明らかなように、「処理」または「演算」または「計算」または「決定」または「表示」などの用語は、コンピュータ・システム、またはコンピュータ・システムのレジスタおよびメモリ内の物理的な電子量として表されるデータを操作してコンピュータ・システムのメモリまたはレジスタあるいはその他の類似の情報記憶装置、伝送または表示デバイス内の物理量として同様に表される他のデータに変換する同様の電子計算デバイスの動作およびプロセスを指す。
【００４５】
また、本発明のソフトウェアで実施される態様は、通常、何らかの形式のプログラム記憶媒体として符号化されるかまたは何らかのタイプの伝送媒体上で実施される。プログラム記憶媒体は、磁気媒体（例えば、フロッピー（登録商標）・ディスクまたはハード・ドライブ）または光媒体（例えば、コンパクト・ディスク読み出し専用メモリ、すなわち、「ＣＤ−ＲＯＭ」）であり、読み出し専用またはランダム・アクセス方式である。同様に伝送媒体は、対撚り線、同軸ケーブル、光ファイバ、または当技術分野で知られているその他の適した伝送媒体でよい。本発明はいかなる所与の実施形態の上記態様によっても限定されることはない。
【００４６】
添付図面を参照しながら本発明について説明する。例示的な目的でのみ、また当業者にはよく知られている詳細内容によって本発明を分かりにくくしないために、さまざまな構造、システムおよび装置の概略を図面に示している。ただし、添付図面は本発明の実施例を説明し描写するために含まれる。本明細書で使用する単語および語句は、当業者によるそれらの単語および語句の理解と一致する意味を有するものと理解し解釈しなければならない。用語または語句の特別の定義、すなわち、当業者が理解する通常の慣例的な意味と異なる定義が、本明細書の用語または語句の一貫した使用によって生じることはない。用語または語句が特別の意味、すなわち、当業者が理解する意味以外の意味を有するほどまで、そのような特定の定義は、その用語または語句の特別の定義を直接また明瞭に提供する定義方法で本明細書内で明示的に示す。
【００４７】
以上、本発明を通信ネットワーク環境で有用なものとして例示してきたが、本発明はその他の接続された環境にも適用できる。例えば、上記の複数のデバイスを、ハード・ケーブル接続、無線周波数信号（例えば、８０２．１１（ａ）、８０２．１１（ｂ）、８０２．１１（ｇ）、Ｂｌｕｅｔｏｏｔｈなど）、赤外線接続、電話回線およびモデムなどのデバイス間接続によって結合できる。本発明は複数のユーザが相互接続され、相互に通信可能な任意の環境内で適用できる。
【００４８】
本明細書の様々な実施形態に例示された様々なシステム・レイヤ、ルーチン、またはモジュールは実行可能な制御ユニットであることは当業者には明らかであろう。制御ユニットは、マイクロプロセッサ、マイクロコントローラ、ディジタル信号プロセッサ、プロセッサ・カード（１つまたは複数のマイクロプロセッサまたは制御装置を含む）、またはその他の制御またはコンピュータ・デバイスならびに１つまたは複数の記憶デバイス内に含まれる実行可能な命令を含むことができる。記憶デバイスはデータおよび命令を記憶する１つまたは複数のマシン可読記憶媒体を含むことができる。記憶媒体は、ダイナミックまたはスタティック・ランダム・アクセス・メモリ（ＤＲＡＭまたはＳＲＡＭ）、消去可能およびプログラマブル読出し専用メモリ（ＥＰＲＯＭ）、電気的消去可能およびプログラマブル読出し専用メモリ（ＥＥＰＲＯＭ）ならびにフラッシュ・メモリなどの半導体メモリ・デバイスと、固定、フロッピー（登録商標）、着脱式ディスクなどの磁気ディスクと、テープを含むその他の磁気媒体と、コンパクト・ディスク（ＣＤ）またはディジタル・ビデオ・ディスク（ＤＶＤ）などの光媒体とを含む様々な形態のメモリを含むことができる。様々なシステム内の様々なソフトウェア・レイヤ、ルーチン、またはモジュールを構成する命令はそれぞれの記憶デバイスに記憶できる。命令がそれぞれの制御ユニットによって実行されると、対応するシステムはプログラミングされた処理を実行する。
【００４９】
上に開示した特定の実施形態は例示的なものにすぎない。本発明は本明細書の教示の利益を享受する当業者には明らかな、別の均等の方法で変更し実施することができるからである。さらに、首記の請求の範囲の記載を除き、本明細書に示す構成または設計の詳細に制限はない。したがって、上に開示した特定の実施形態は修正または変更が可能であり、そのような変形形態は本発明の範囲と精神を逸脱しないと考えられる。したがって、本明細書で追求する保護は首記の請求の範囲に記載する通りである。
【図面の簡単な説明】
【００５０】
【図１】本発明の一実施形態によるユーザ装置と通信するための１つまたは複数のスクランブル符号の再配置を管理する無線ネットワーク内の少なくとも１つの基地局に各々が関連する第１および第２の無線ネットワーク制御装置を含むスペクトル拡散無線通信システムを示す図である。
【図２】本発明の一実施形態による図１に示す基地局およびユーザ装置の符号分割多重接続プロトコルに基づく無線周波数送信機および受信機の概略図である。
【図３】本発明の一実施形態による図１に示すバッファとしての先入れ先出しシフト・レジスタの概略図である。
【図４】前記第１および第２の無線ネットワーク制御装置で、１つまたは複数の再配置されたスクランブル符号の第１のプールと、１つまたは複数の空きスクランブル符号の第２のプールと、１つまたは複数の使用中のスクランブル符号の第３のプールとを管理する図１に示す管理装置の一実施形態を示す概略図である。
【図５】本発明の一実施形態による第１および第２の無線ネットワーク制御装置の各々で図１に示すスペクトル拡散無線通信システム内の１つまたは複数のスクランブル符号の再配置を管理する方法の様式図である。
【図１】
2006270966.tif 000003
【図２】
2006270966.tif 000004
【図３】
2006270966.tif 000005
【図４】
2006270966.tif 000006
【図５】
2006270966.tif 000007